(57)【要約】【課題】後軸の空間を有効に利用して、さらに１つの複合保持具における使用範囲を広げることができる複合保持具を提供する。【解決手段】複合保持具１０は、先軸１２と、先軸１２に対して回転可能に連結される後軸１４と、先軸１２内で先軸１２に対して相対回転不能に且つ軸方向に移動可能に収納され複数の保持体２０と、後軸１４と一体的に回転し、先軸１２及び後軸１４との間の相対回転によって、選択的に複数の保持体２０のいずれかをその先端が先軸の先端から突出した位置に保持可能なカム筒２６と、を備え、後軸１４内に後軸１４またはカム筒２６に連結されて後軸１４の後端から突出するカートリッジ２８が配置される。【選択図】　図２
2004136469.tif 000002
【特許請求の範囲】
【請求項１】
先軸と、先軸に対して回転可能に連結される後軸と、先軸内で軸方向に移動可能に収納される複数の保持体と、後軸と一体的に回転し、先軸及び後軸との間の相対回転によって、選択的に複数の保持体のいずれかをその先端が先軸の先端から突出した位置に保持可能なカム筒と、を備えた複合保持具において、
前記後軸またはカム筒に連結されて後軸の後端から突出するカートリッジが前記後軸内に配置されることを特徴とする複合保持具。
【請求項２】
前記カートリッジは、後軸またはカム筒に交換可能に連結されることを特徴とする請求項１記載の複合保持具。
【請求項３】
前記カートリッジには、前記後軸またはカム筒に形成された係合部に係合する係合部が形成され、後軸の内周面は、カートリッジの外周面に適合した形状となることを特徴とする請求項１または２記載の複合保持具。
【請求項４】
前記後軸の周面には窓が形成され、該窓を通してカートリッジを外部から操作可能なることを特徴とする請求項１ないし３のいずれか１項に記載の複合保持具。
【請求項５】
前記各保持体には、前記カム筒のカム面に沿って摺動するカムスライダーが連結されており、該カムスライダーは、隣接するカムスライダーに互いに摺接されており、カムスライダーは、前記カム面に沿って且つ隣接するカムスライダーに沿って摺動して、軸方向に移動可能であることを特徴とする請求項１ないし４のいずれか１項に記載の複合保持具。
【請求項６】
前記各カムスライダーには、隣接するカムスライダーに摺接される面に軸方向に伸びる凸条が形成されると共に、隣接するカムスライダーの凸条に対応する部位に軸方向に伸び該凸条が嵌め込まれる凹溝が形成されることを特徴とする請求項５記載の複合保持具。
【請求項７】
前記保持体の数がカムスライダーの数よりも少ない場合に、保持体が連結されないカムスライダーに保持体ダミーが連結されることを特徴とする請求項５または６記載の複合保持具。
【請求項８】
前記カムスライダーを常時カム筒の方へと押し付けるコイルスプリングが保持体の外周囲に巻回され、保持体ダミーがある場合には、コイルスプリングが保持体ダミーの外周囲に巻回されることを特徴とする請求項７記載の複合保持具。
【請求項９】
外軸と、外軸内に収納されて、該外軸の先端からその先端が突出可能となると共に使用に供される媒体を保持する保持体と、外軸内に収納されて、外軸の後端からその先端が突出されるカートリッジとを備え、
前記カートリッジは、使用に供される媒体を収納するケースを有し、該ケースは外軸に連結されることを特徴とする複合保持具。
【請求項１０】
前記カートリッジのケースは、着脱可能に外軸に連結されることを特徴とする請求項９記載の複合保持具。
【請求項１１】
前記カートリッジは、塗膜転写テープが収納されるテープカートリッジであることを特徴とする請求項１ないし１０のいずれか１項に記載の複合保持具。
【請求項１２】
前記塗膜転写テープは、その幅が０より大きく７ｍｍ以下であることを特徴とする請求項１１記載の複合保持具。
【請求項１３】
前記塗膜転写テープは、その基材がプラスチックフィルムからなることを特徴とする請求項１１または１２記載の複合保持具。
【発明の詳細な説明】
【０００１】
【発明の属する技術分野】
本発明は、複数の媒体を選択的に使用に供することができる複合保持具に関する。
【０００２】
【従来の技術】
従来、この種の複合保持具としては、先軸と、先軸に対して回転可能に連結される後軸と、先軸内で先軸に対して相対回転不能に且つ軸方向に移動可能に収納され後方へ常時付勢される複数の保持体と、後軸と一体的に回転し、先軸及び後軸との間の相対回転によって、選択的に媒体を保持する複数の保持体のいずれかをその先端が先軸の先端から突出した位置に保持可能なカム筒と、を備えたものが知られている（例えば、特許文献１、特許文献２参照。）。
【０００３】
かかる従来の複合保持具において、後軸の後端部にはホルダが設けられ、該ホルダ内に消しゴムや印鑑などが収納されている。
【０００４】
【特許文献１】
特開２００１−３２８３９３号公報（図１、段落番号［００１７］参照）
【特許文献２】
特開平１１−２０８１８６号公報（図１、段落番号［００１２］参照）
【０００５】
【発明が解決しようとする課題】
しかしながら、従来の後軸の後端部の利用は、上記印鑑や消しゴム等の小型でまたは使い捨ての部品を収納する程度であり、後軸の空間の利用度としては十分であるとは言い難かった。また、現在、修正具として、塗膜転写テープを用いた塗膜転写具が市販されているが、このような器具は嵩張るため、単品で存在して、単独で使用されることがほとんどであり、他の部品と組み合わせることが行われておらず、その利用度が不十分であった。
【０００６】
さらに別の問題として、従来の複合保持具では、カム筒により保持体を突出させるときに無用な力が作用すると、保持体にねじれやぶれなどが生じ、保持体が軸方向ではなく、径方向や周方向に変位して、操作感が悪くなるという問題があった。
【０００７】
さらには別の問題として、従来の複合保持具では、予め収納する保持体の数が決まっており、それに対応した構成となっている。よって、保持体の数を変更したいときには、その数に対応して部品などを製造しなければならず、その製造コストが高くなるという問題があった。
【０００８】
本発明はかかる課題に鑑みなされたもので、後軸または外軸の空間を有効に利用して、さらに１つの複合保持具における使用範囲を広げることができる複合保持具を提供することをその目的とする。また、他の目的は、従来は嵩張っており組み合わせて使用することができなかった塗膜転写機能が組み合わされた複合保持具を提供することである。また、他の目的は、保持体を前方へと突出させる際に、円滑に操作することができる複合保持具を提供することである。さらには、他の目的は、使用する保持体の数に変更があっても、安価に対応することができる複合筆記具を提供することである。
【０００９】
【課題を解決するための手段】
上記目的を達成するために、請求項１記載の発明は、先軸と、先軸に対して回転可能に連結される後軸と、先軸内で軸方向に移動可能に収納される複数の保持体と、後軸と一体的に回転し、先軸及び後軸との間の相対回転によって、選択的に複数の保持体のいずれかをその先端が先軸の先端から突出した位置に保持可能なカム筒と、を備えた複合保持具において、
前記後軸またはカム筒に連結されて後軸の後端から突出するカートリッジが前記後軸内に配置されることを特徴とする。後軸を先軸に対して回動させることにより、複数の保持体のいずれかの先端を先軸の先端から突出した位置に保持して、選択的に保持体を使用することができる。さらに、これらの後軸内にはカートリッジが配置されており、このカートリッジを後軸の側から使用することで、複合保持具の使用範囲を広げることができる。
【００１０】
請求項２記載の発明は、請求項１記載のものにおいて、前記カートリッジが後軸またはカム筒に交換可能に連結されることを特徴とする。後軸内の空間に限度があり、カートリッジの容積が小さく、そのために、比較的短期間で寿命となるものであっても、カートリッジを交換することで、複合保持具が使用な限りカートリッジを使用することができるようになる。
【００１１】
請求項３記載の発明は、請求項１または２記載の前記カートリッジに、前記後軸またはカム筒に形成された係合部に係合する係合部が形成され、後軸の内周面は、カートリッジの外周面に適合した形状となることを特徴とする。カートリッジの係合部と後軸またはカム筒に形成された係合部とを係合させることにより、後軸内で確実にカートリッジを後軸内で保持することができる。また、カートリッジの外周面の形状が非円形形状である場合に、後軸の内周面をその非円形形状に合致させることにより、カートリッジの周方向の位置決めを行うことができる。
【００１２】
請求項４記載の発明は、請求項１ないし３のいずれか１項に記載のものにおいて、前記後軸の周面には窓が形成され、該窓を通してカートリッジを外部から操作可能なることを特徴とする。後軸内にカートリッジが配置されていても、カートリッジの操作を行うことができる。
【００１３】
請求項５記載の発明は、請求項１ないし４のいずれか１項に記載の前記各保持体に、前記カム筒のカム面に沿って摺動するカムスライダーが連結されており、該カムスライダーは、隣接するカムスライダーに互いに摺接されており、カムスライダーは、前記カム面に沿って且つ隣接するカムスライダーに沿って摺動して、軸方向に移動可能であることを特徴とする。カムスライダー同士が互いに摺接されており、カムスライダーが隣接するカムスライダーに沿って摺動するために、カムスライダーの軸方向への移動が円滑に行われる。隣接するカムスライダーがカムスライダーの径方向の変位を防止することができ、カムスライダーに連結される保持体を円滑に軸方向へと移動させることができる。
【００１４】
請求項６記載の発明は、請求項５記載の前記各カムスライダーに、隣接するカムスライダーに摺接される面に軸方向に伸びる凸条が形成され、隣接するカムスライダーの凸条に対応する部位に軸方向に伸び該凸条が嵌め込まれる凹溝が形成されることを特徴とする。隣接するカムスライダーの凸条に各カムスライダーの凹溝が嵌まり込むことにより、隣接するカムスライダーがカムスライダーの径方向及び周方向の変位を防止することができ、カムスライダーに連結される保持体を円滑に軸方向へと移動させることができる。
【００１５】
請求項７記載の発明は、請求項５または６記載のものにおいて、前記保持体の数がカムスライダーの数よりも少ない場合に、保持体が連結されないカムスライダーに保持体ダミーが連結されることを特徴とする。保持体ダミーを用いることにより、保持体最大収納数以内で、保持体の収納数が変化しても、部品を変えずに安価に対応することができる。
【００１６】
請求項８記載の発明は、請求項７記載のものにおいて、前記カムスライダーを常時カム筒の方へと押し付けるコイルスプリングが保持体の外周囲に巻回され、保持体ダミーがある場合には、コイルスプリングが保持体ダミーの外周囲に巻回されることを特徴とする。保持体ダミーによってコイルスプリングが安定して配置される。
【００１７】
請求項９記載の発明の複合保持具は、外軸と、外軸内に収納されて、該外軸の先端からその先端が突出可能となると共に使用に供される媒体を保持する保持体と、外軸内に収納されて、外軸の後端からその先端が突出されるカートリッジとを備え、前記カートリッジは、使用に供される媒体を収納するケースを有し、該ケースは外軸に連結されることを特徴とする。外軸の先端を使用側にして、その外軸内に収納される保持体によって保持される媒体を使用することができる。また、外軸を持ち替えて、その後端を使用側にして、その外軸内に収納されるカートリッジのケースに収納された媒体を使用することができる。このカートリッジを外軸の後端側から使用することができるようにすることで、複合保持具の使用範囲を広げることができる。
【００１８】
請求項１０記載の発明は、請求項９記載の前記カートリッジのケースが、着脱可能に外軸に連結されることを特徴とする。外軸内の空間に限度があり、カートリッジの容積が小さく、そのために、比較的短期間で寿命となるものであっても、ケースを外軸から取り外して、カートリッジを交換することで、複合保持具が使用な限りカートリッジを使用することができるようになる。
【００１９】
請求項１１記載の発明は、前記カートリッジが、塗膜転写テープが収納されるテープカートリッジであることを特徴とする。尚、この場合、請求項９及び１０記載のケースに収納される媒体は、塗膜転写テープとなる。保持体を筆記軸体とした場合に、保持体を用いて筆記して、筆記ミスを起こした場合には、複合保持体の前後を入れ替えて、塗膜転写テープを修正を行うべき被転写面に押し当て、移動させることにより、即座に且つ簡単に修正を行うことができる。このように１つの複合保持具で筆記及び筆記修正の両方を行うことができるために、その使用勝手を向上させることができる。塗膜転写テープを他の保持体と組み合わせることにより、その利用度を高めることができる。複合保持体は複数の保持体を収納する理由から、後軸もある程度、径方向の寸法が大きく、よって、その内部にテープカートリッジを配置するのに有利な構成となっている。
【００２０】
請求項１２記載の発明は、請求項１１記載の前記塗膜転写テープの幅が０より大きく７ｍｍ以下であることを特徴とする。複合保持具の外径を大きくすることなく、塗膜転写テープを後軸内に収納することができる。また、細かな修正箇所も簡単に修正することができる。
【００２１】
請求項１３記載の発明は、請求項１１または１２記載の前記塗膜転写テープの基材がプラスチックフィルムからなることを特徴とする。これにより、塗膜転写テープの容積を小さくすることができ、または、長尺の塗膜転写テープを後軸内に収納することができて、カートリッジの使用寿命を長期にすることができる。
【００２２】
【発明の実施の形態】
以下、図面を用いて本発明の実施の形態を説明する。
【００２３】
図１は本発明による複合保持具の実施形態を表す全体図、図２は縦断面図である。
【００２４】
図において、複合保持具１０は、先軸１２と、先軸１２に連結される後軸１４とを有している。先軸１２の外周には弾性材料からなる弾性グリッパ１３がはめ込まれている。先軸１２と後軸１４とは、中軸１６を介して回転可能に且つ着脱可能に連結される。即ち、中軸１６は、その後部が後述のカム筒２６に対して回転可能に係止されており（中軸１６の開口端１６ａがカム筒２６の環状突起２６ｇに係止されている（図４参照））、これにより、後軸１４に回転可能に連結され、且つ後軸１４から脱落できないように、後軸１４に対して連結されている。また、中軸１６の前部の外周面には雄ネジ部１６ｄが形成されており、先軸１２の後部の内周面には雌ネジ部１２ｂが形成されており、該雄ネジ部１６ｄと雌ネジ部１２ｂとが螺合すると、中軸１６と先軸１２とは一体化する一方で、雄ネジ部１６ｄと雌ネジ部１２ｂとの螺合を解除すると、先軸１２は中軸１６から分離される。
【００２５】
先軸１２、中軸１６及び後軸１４とで構成される外軸内には、複数の保持体２０、２０が収納される。この実施形態では、保持体２０として、媒体としての色の異なるインキをそれぞれ保持する２本のボールペン保持体とした場合について図示している。但し、保持体として、ボールペン保持体に限ることなく、筆記芯、固定糊、消しゴム等の文具用媒体、または他の化粧用媒体、スタイラスチップ等のデータ入力用媒体等の複数の媒体を保持する保持体とすることができる。
【００２６】
図４に示したように、中軸１６の前部の内周面には、複数の保持体２０をそれぞれ仕切る仕切り壁１６ｂが形成されており、仕切り壁１６ｂによって各保持体２０に対応した空間が形成される。各保持体２０は仕切り壁１６ｂによって形成されて割り当てられた空間を挿通する。保持体２０の後端は、それぞれカムスライダー２２の中心孔内に挿入されて、カムスライダー２２に連結される。
【００２７】
カムスライダー２２は、図４及び５に示すように、その断面形状が扇型であり、その開度は、（３６０度／最大収納可能な保持体の数）となっている。この例の場合、最大収納可能な保持体２０を３つとしているため、その開度は１２０度である。これらの複数のカムスライダー２２は互いに隣接する面に摺接して摺動可能となっている。さらには、摺接面は平坦面ではなく、各カムスライダー２２の摺接面には軸方向に伸びる凸条２２ｄと、軸方向に伸びて、隣接するカムスライダー２２の凸条２２ｄが嵌め込まれる凹溝２２ｅとが形成されている。各カムスライダー２２の外周面にはカム突起２２ａが形成され、さらに、そのカム突起２２ａの外側にリブ２２ｃが形成されており、各リブ２２ｃは、中軸１６の後部の内周面に形成された縦溝１６ｃに摺動可能に嵌め込まれる。こうして、カムスライダー２２は互いに摺動可能に且つ中軸１６に対して摺動可能となっており、これにより、カムスライダー２２に連結された保持体２０は、先軸１２に対して相対回転不能且つ軸方向に移動可能に配設される。中軸１６の縦溝１６ｃ及び互いに嵌め込み合う凸条２２ｄと凹溝２２ｅによって、各カムスライダー２２はその周方向位置及び径方向位置がずれることなく、円滑に軸方向にのみ移動する。
【００２８】
カムスライダー２２のカム突起２２ａの後端部の後面は、軸方向に傾斜した傾斜面となって、その中央部が最も後方へと突出された最後端部となり、そのカム突起２２ａの最後端部は尖頭形状となった被係止部２２ｂとなっている。
【００２９】
また、各保持体２０の外周囲に巻回されたコイルスプリング２４が前記中軸１６の仕切り壁１６ｂの後端面とカムスライダー２２の前端面との間に介挿されている。このコイルスプリング２４により、カムスライダー２２と共に保持体２０は常時、後方へと付勢され、そのカム突起２２ａは後述のカム筒２６へと押圧され、カム突起２２ａの後面はカム筒２６の前面に摺接される。
【００３０】
カム筒２６は、後軸１４に対して相対回転不能に固定される。即ち、カム筒２６の後端部には、係合部２６ａが形成されており、係合部２６ａの横断面の外周面形状は非円形となっており、一方の後軸１４に形成される仕切壁１４ａに形成された開口は、係合部２６ａの外周面の一般面の輪郭に合致するように形成されている（図８）。また、カム筒２６の係合部２６ａの外周面には、係止突起２６ｂ及びスリット２６ｃが形成されており、係合部２６ａが仕切壁１４ａの開口をスリット２６ｃを変形させながら通過すると、係止突起２６ｂが仕切壁１４ａに係止し、また、係合部２６ａが仕切壁１４ａの開口に嵌合して、カム筒２６は後筒１４に対して固定される。
【００３１】
カム筒２６の前面には前方へと突出するカム面２６ｄが形成される。カム面２６ｄは、その中央部が最も前方に突出しており、その最先端部は、カムスライダー２２の被係止部２２ｂが係止される係止部２６ｅとなっている。
【００３２】
カム筒２６の係合部２６ａの内周面には、係合突起２６ｆが形成されている（図２、図８）。この係合突起２６ｆにテープカートリッジ２８が係合して、カム筒２６にテープカートリッジ２８が着脱可能に連結される。
【００３３】
テープカートリッジ２８は、図９〜図１１に示すように、ケース３０と、ケース３０内で軸支され塗膜転写テープ４０の未使用テープ４０ａが巻回された巻出しコア３２と、ケース内３０で軸支され巻出しコア３２から巻き出されて使用された使用済みテープ４０ｂを巻き取る巻取りコア３４と、巻出しコア３２と巻取りコア３４との間に掛け渡され、これらの間で回転をスリップ可能に伝達する伝達手段であるＯリング３６と、巻出しコア３２と巻取りコア３４との間を走行するテープの走行経路途中に設けられると共に後軸１４から突出する転写ヘッド３８と、転写ヘッド３８を不使用時保護するために転写ヘッド３８に被着されるキャップ３９と、を有する。このテープカートリッジ２８は、後軸１４内の収納に適するために小型化されており、その塗膜転写テープ４０も極力肉薄に且つ幅細に構成される。例えば、塗膜転写テープ４０は、プラスチックフィルム基材の上に剥離剤層を介して、白色塗料層等の目的とする塗膜層を積層し、さらにその上に感圧接着剤等の粘着剤層を積層したものからなる。塗膜転写テープ４０を肉薄にすることにより、塗膜転写テープ４０の容積を小さくすることができ、または、長尺の塗膜転写テープ４０を後軸１４内に収納することができて、テープカートリッジ２８の使用寿命を長期にすることができる。また、塗膜転写テープ４０の幅は、７ｍｍ以下、より好ましくは５ｍｍ以下とするとよい。幅を小さくすることにより、細かな修正箇所も簡単に修正することができる。
【００３４】
巻出しコア３２から巻き出された塗膜転写テープ４０の未使用テープ４０ａは、ケース３０内に適宜設けられたガイドピン３０ａに案内されて、ケース３０の開口３０ｂから突出して転写ヘッド３８の先端部の回りを配索される。未使用テープ４０ａは、転写ヘッド３８の先端部で被転写面に押圧されて被転写面に転写されると、使用済みテープ４０ｂとなる。使用済みテープ４０ｂは、再び開口３０ｂからケース３０内へと戻り、ガイドピン３０ｃに案内されて、巻取りコア３４へと巻取られる。
【００３５】
ケース３０の開口３０ｂと反対側の端部は、ケース３０の本体よりもやや小径の係合部３０ｄとなっており、この係合部３０ｄには、係合突起３０ｅとリブ３０ｆが形成されている。係合突起３０ｅがカム筒２６の係合部２６ａの係合突起２６ｆに係止し、リブ３０ｆがカム筒２６の係合部２６ａのスリット２６ｃに嵌め込まれて、ケース３０がカム筒２６に着脱可能に係合する。
【００３６】
また、ケース３０の側面には、巻取りコア３４の軸の延長部３４ａが臨む窓３０ｇが形成されている。この窓３０ｇに対応して、後軸１４の側面にも窓１４ｂが形成されている。巻取りコア３４の延長部３４ａは、この窓１４ｂ及び３０ｇを通して、外部から回転操作可能となっている。さらに、ケース３０の両側面には、凹凸の外表面を持つ把持部３０ｈが突設されており、把持部３０ｈに対応して、後軸１４の周面の後端部には、該把持部３０ｈを受ける切欠１４ｃが形成されている（図６参照）。
【００３７】
後軸１４にはクリップ１８が設けられる。このクリップ１８は、後軸１４と別体のものでも良いし、または、後軸１４と一体品とすることもできる。別体とする場合には、例えば、後軸１４と異なる材料とし、後軸１４を樹脂製とした場合に、クリップ１８を金属製として高級感を出して見栄えを良好にすることができる。また、図６及び図７に示すように、後軸１４の内周面は、ケース３０の外周面の輪郭と合致した形状となっている。
【００３８】
この実施形態では、保持体２０の最大収納可能な数は３であるが、実際に収納している数は２となっており、３つのカムスライダー２２のうちの１つのカムスライダー２２には、保持体２０の代わりに、保持体ダミー２１が連結される。そして、コイルスプリング２４は、保持体ダミー２１の外周囲に巻回され、該保持体ダミー２１が連結されたカムスライダー２２を後方へと付勢している。このような保持体ダミー２１を用いることにより、最大収納数以内で、保持体２０の収納数が変化しても、部品を変えずに安価に対応することができる。
【００３９】
以上のように構成される複合保持具において、その作用を説明する。まず、保持体２０不使用時は、カム筒２６のカム面２６ｄの係止部２６ｅよりも後方の位置において、保持体２０に連結されたカムスライダー２２の被係止部２２ｂがカム面２６ｄに当接されている。そして、複数の保持体２０のいずれかを使用しようとする場合には、後軸１４を先軸１２に対して相対回転させる。これにより、後軸１４に固定されたカム筒２６が後軸１４と共に回転する。これに対して先軸１２及び中軸１４に対して回転不能となったカムスライダー２２は回転しないために、カムスライダー２２のカム突起２２ａが、カム筒２６のカム面２６ｄを摺動し、複数のカムスライダー２２のいずれかがカム面２６ｄに沿って前方へと移動し、カム突起２２ａの被係止部２２ｂがカム面２６ｄの係止部２６ｅに係止されて、そのカムスライダー２２に連結される保持体２０が前方に移動した状態に保持される。また、その他のカムスライダー２２のカム突起２２ａは、カム筒２６のカム面２６ｄに沿って後方へと移動する。前方へと移動した保持体２０の先端は、先軸１２の先端突出口１２ａから突出し、その保持体２０は使用に供される。
【００４０】
一方、ボールペン保持体である保持体２０を用いて筆記中に、修正を行う必要が出た場合には、複合保持体１０の前後を持ち替えて、後軸１４の転写ヘッド３８に被着されたキャップ３９を外して、転写ヘッド３８を修正を行うべき被転写面に押し当て、移動させることにより、巻出しコア３２から塗膜転写テープ４０の未使用テープ４０ａが巻き出されて、修正箇所に塗膜層が転写される。また、塗膜層が転写された使用済みテープ４０ｂは、巻取りコア３４に巻き取られる。また、巻取りコア３４を回転させる必要がある場合には、後軸１４の窓１４ｂ及びケース３０の窓３０ｇを通して、その延長部３４ａを回転させることができる。
【００４１】
こうして、ボールペン保持体２０を用いて筆記して、筆記ミスが生じた場合には、複合保持体１０の前後を持ち替えて、塗膜転写テープ４０を修正を行うべき被転写面に押し当て、移動させることにより、即座に且つ簡単に修正を行うことができる。このように１つの複合保持具１０で筆記及び筆記修正の両方を行うことができるために、その使用勝手を向上させることができる。
【００４２】
ボールペン保持体２０のインキが消耗した場合には、先軸１２を中軸１６から取り外し、ボールペン保持体２０を引いてカムスライダー２２から取り外した後、新しいボールペン保持体２０をカムスライダー２２に連結して、交換する。また、塗膜転写テープ４０の未使用テープ４０ａがすべて使用済みテープ４０ｂになるなどして、使用不可となった場合には、ケース３０の把持部３０ｈを掴みながら、テープカートリッジ２８を引いてカム筒２６から取り外した後、新しいテープカートリッジ２８をカム筒２６に連結して、交換する。新しいテープカートリッジ２８を挿入する際には、同様にそのケース３０の把持部３０ｈを後軸１４の切欠１４ｃに合わせることにより、ケース３０の窓３０ｇが後軸１４の窓１４ｂに整合し、ケース３０の係合部３０ｄのリブ３０ｆが後軸１４内にあるカム筒２６の係合部２６ａのスリット２６ｃに整合する。こうして、カム筒２６にテープカートリッジ２８を係合することができる。
【００４３】
以上のように、本発明によれば、複合保持具１０の後軸１４の内部にテープカートリッジ２８を収納することとしたので、後軸１４内を有効利用することができ、複合保持具１０の使用範囲を広げることができる。複合保持具１０は複数の保持体２０を収納するために、後軸１４もある程度、径が大きくなっており、よって、その内部にテープカートリッジ２８を配置するのに有利な構成となっている。また、テープカートリッジ２８を簡単な操作で交換可能としたために、その利便性を高めることができる。よって、テープカートリッジ２８の容積が小さくて、塗膜転写テープ４０の長さに限度があっても、テープカートリッジ２８を交換することで、再び、テープカートリッジ２８を使用することができる。
【００４４】
尚、この実施形態では、テープカートリッジ２８がカム筒２６に係合して、間接的に後軸１４に連結されるようになっていたが、これに限るものではなく、テープカートリッジ２８が後軸１４に直接係合して直接連結されるように構成することでもよい。また、後軸１４とカム筒２６を一体品として構成することでもよい。また、この実施形態では、外軸内に複数の保持体２０が収納されて、それぞれが選択的に先軸１２の先端突出口１２ａ（即ち外軸の先端）から突出することとなっていたが、これに限るものではなく、外軸内に単一の保持体２０とテープカートリッジ２８のみが収納されるものであってもよい。この場合、保持体２０は、先軸１２の先端突出口１２ａから常時突出しているものであっても、または、操作によって突出・退没可能となっているものであってもよい。
【００４５】
【発明の効果】
以上説明したように、本発明によれば、複合保持具の後軸内にカートリッジを配置することとしたので、カートリッジを後軸の後端から使用することで、複合保持具の使用範囲を広げることができる。
【図面の簡単な説明】
【図１】本発明による複合保持具の実施形態を表す全体図である。
【図２】図１の複合保持具の縦断面図である。
【図３】図１の複合保持具を後方から見た背面図である。
【図４】図１の複合保持具の中軸、カム筒、カムスライダー、保持体及び保持体ダミーの斜視図である。
【図５】図２の５−５線に沿って見た断面図である。
【図６】後軸の縦断面図である。
【図７】図２の７−７線に沿って見た断面図である（クリップは除く）。
【図８】図２の８−８線に沿って見た断面図である（クリップは除く）。
【図９】図２のテープカートリッジの側面図である。
【図１０】図１１のテープカートリッジの１０−１０線に沿って見た断面図である。
【図１１】図２のテープカートリッジのケースの一部を取り除いた内観図である。
【符号の説明】
１０　複合保持具
１２　先軸
１４　後軸
１４ｂ　窓
２０　保持体
２１　保持体ダミー
２２　カムスライダー
２２ｄ　凸条
２２ｅ　凹溝
２４　コイルスプリング
２６　カム筒
２６ａ　係合部
２８　テープカートリッジ
３０ｄ　係合部
４０　塗膜転写テープ
【図１】
2004136469.tif 000003
【図２】
2004136469.tif 000004
【図３】
2004136469.tif 000005
【図４】
2004136469.tif 000006
【図５】
2004136469.tif 000007
【図６】
2004136469.tif 000008
【図７】
2004136469.tif 000009
【図８】
2004136469.tif 000010
【図９】
2004136469.tif 000011
【図１０】
2004136469.tif 000012
【図１１】
2004136469.tif 000013